(57)【要約】      （修正有）【課題】電磁石で発生する熱を即座に、確実に冷却し、被蒸着基板の脱着及び蒸着マスクとの位置合せを簡単に行える蒸着装置の提供。【解決手段】真空チャンバー８と、マスクホルダー１５と、蒸着マスク１と接するように被蒸着基板２を保持する基板ホルダー２９と、被蒸着基板２の蒸着マスク１と反対側のタッチプレート４の上方に配置される電磁石３と、蒸着マスク１と対向させて設けられ、蒸着材料５１を気化又は昇華させる蒸着源５と、少なくとも第一端部である吸熱部７１が電磁石３に接触して設けられ、吸熱部７１と反対の第二端部である放熱部７２が真空チャンバー８の外部に導出されるヒートパイプ７とを有し、ヒートパイプ７と電磁石３との接触部が、電磁石３のコイル３２の内周の断面積以上の面積で密着して接合されている蒸着装置。【選択図】図１
2019035137.tif 000002
【特許請求の範囲】
【請求項１】
真空チャンバーと、
前記真空チャンバーの内部に配置される蒸着マスクを保持するマスクホルダーと、
前記マスクホルダーに保持される蒸着マスクと接するように被蒸着基板を保持する基板ホルダーと、
前記基板ホルダーに保持される被蒸着基板の前記蒸着マスクと反対面の上方に配置される電磁石と、
前記蒸着マスクと対向させて設けられ、蒸着材料を気化又は昇華させる蒸着源と、
少なくとも第一端部である吸熱部が前記電磁石に接触して設けられ、前記第一端部と反対の第二端部である放熱部が前記真空チャンバーの外部に導出されるヒートパイプと、
を具備する、蒸着装置。
【請求項２】
前記ヒートパイプが、前記吸熱部と、前記放熱部のそれぞれの一端部を接続する蒸気管と、前記吸熱部及び前記放熱部のそれぞれの他端部を接続する接続間を有するループ型のヒートパイプである、請求項１に記載の蒸着装置。
【請求項３】
前記ループ型ヒートパイプの前記吸熱部は、ウィック構造体が複数個並置された平板状に形成されている、請求項２に記載の蒸着装置。
【請求項４】
前記ウィック構造体の各々は、中心部にウィックコアを有し、その周囲にウィックが歯車状に形成され、前記歯車状の歯の部分の各ウィックの間に形成された溝が蒸気の通り道になっている、請求項３に記載の蒸着装置。
【請求項５】
前記ヒートパイプの前記吸熱部が、前記電磁石の前記蒸着マスクと対向する面、及び前記基板ホルダーによって保持される前記被蒸着基板に、それぞれ直接対面する位置に配置される、請求項３又は４に記載の蒸着装置。（タッチパネルの代りにする）
【請求項６】
前記電磁石がコアと、電磁コイルと、ヨークとを含んでおり、前記コア、前記電磁コイル、及び前記ヨークが被覆物によって一体にされており、前記ヒートパイプの前記吸熱部が前記被覆物内に埋め込まれている、請求項１に記載の蒸着装置。
【請求項７】
前記被覆物が、耐熱性樹脂によって形成されている、請求項６に記載の蒸着装置。
【請求項８】
前記被覆物に、金属粉を含むフィラーが混入されている、請求項６または７に記載の蒸着装置。
【請求項９】
前記電磁石が、コアを含んでおり、前記コアの一端部に形成された凹部の内部に前記ヒートパイプの前記吸熱部が埋め込まれている、請求項１に記載の蒸着装置。
【請求項１０】
前記ヒートパイプ及び前記コアの断面形状がそれぞれ円形であり、前記吸熱部の端面の半径をｒ、前記コアの断面の半径をＲ、前記凹部の深さをｄとすると、ｄ≧（Ｒ2−ｒ2）／２ｒになるように前記凹部が形成されている、請求項９に記載蒸着装置。
【請求項１１】
前記コアの表面及び前記凹部の内面の少なくとも一部に、前記コアよりも熱伝導率の大きい材料による被膜が形成されており、かつ、前記吸熱部が前記コアよりも熱伝導率の大きい接合材によって、前記凹部内に前記吸熱部が接合されている、請求項９又は１０に記載の蒸着装置。
【請求項１２】
前記電磁石がコアを含んでおり、前記ヒートパイプの断面積を前記コアの断面積よりも小さくすることによって、前記コアの内部に前記吸熱部が複数個埋め込まれている、請求項１に記載の蒸着装置。
【請求項１３】
前記ヒートパイプと前記コアとの隙間に熱伝導率の大きい微粉末を含む樹脂が充填されている、請求項９または１０に記載の蒸着装置。
【請求項１４】
前記コアが、焼結用鉄粉の焼成によって得られる圧粉磁心である、請求項９、１０又は１２に記載の蒸着装置。
【請求項１５】
前記ヒートパイプが可撓性のある材料によって形成されている、請求項１に記載の蒸着装置。
【請求項１６】
支持基板上にＴＦＴ及び第一電極を少なくとも形成し、
前記支持基板上に請求項１〜１５のいずれか１項に記載の蒸着装置を用いて有機材料を蒸着することによって有機層の積層膜を形成し、
前記積層膜上に第二電極を形成する
ことを含む、有機ＥＬ表示装置の製造方法。
【発明の詳細な説明】
【技術分野】
【０００１】
本発明は、例えば有機ＥＬ表示装置の有機層を蒸着する蒸着装置、蒸着方法及び有機ＥＬ表示装置の製造方法に関する。
【背景技術】
【０００２】
例えば、有機ＥＬ表示装置が製造される場合、支持基板上にＴＦＴ等の駆動素子が形成され、その電極の上に有機層が画素ごとに対応して積層される。この有機層は水分に弱くエッチングをすることができない。そのため、有機層の積層は、支持基板（被蒸着基板）と蒸着マスクとを重ねて配置し、その蒸着マスクの開口を通して有機材料の蒸着を行うことによりなされる。そして、必要な画素の電極の上のみに必要な有機材料が積層される。この被蒸着基板と蒸着マスクとは、できるだけ近接していないと画素の正確な領域のみに有機層が形成されない。正確な画素の領域のみに有機材料が堆積していないと表示画像が不鮮明になりやすい。そのため、蒸着マスクに磁性体を使用し、永久磁石又は電磁石と蒸着マスクとの間に被蒸着基板を介在させることで、被蒸着基板と蒸着マスクとを接近させる磁気チャックが用いられている（例えば特許文献１参照）。
【先行技術文献】
【特許文献】
【０００３】
【特許文献１】特開２００８−０２４９５６号公報
【発明の概要】
【発明が解決しようとする課題】
【０００４】
蒸着マスクとして、従来メタルマスクが用いられていたが、近年では、より精細な開口を形成するため、樹脂フィルムで形成され、その樹脂フィルムの開口の周縁を除いた部分を金属支持層で支持するハイブリッド型の蒸着マスクが用いられる傾向にある。ハイブリッドマスクのように、磁性体が少ない蒸着マスクは、より強い磁場（磁界）でないと充分な吸着を行えない。
【０００５】
前述のように、吸着が充分でないと、被蒸着基板と蒸着マスクとの接近性が低下する。蒸着マスクを充分に被蒸着基板に引き付けるには、強い磁場が必要となる。磁気チャックの磁石として、永久磁石が用いられると、その磁場が強い場合、被蒸着基板と蒸着マスクとの位置合せが困難になる。一方、電磁石が用いられると、電磁石のコイルへの電流の印加をオフにすることによって、磁界を殆ど０にし、電流を印加することによって、磁界を発生させ吸着させ得る。そのため、位置合せの際には磁場を印加しないで、位置合せ後に磁場を印加することができるので、被蒸着基板と蒸着マスクとの位置合せが容易になる。
【０００６】
しかしながら、電磁石を用いて、大きい磁場を発生させるには、電流を大きくする必要がある。電磁石の磁界の強さは電磁石のコイルの巻数とそのコイルに流れる電流との積に比例する。そのため、磁界を大きくしようとすると、電流を大きくするか、巻数を多くする必要がある。いずれの方法によっても、発熱量が大きくなる。元々電磁石のコイルには、大電流が流されているので、電磁石のコイルには抵抗の小さい電線が用いられるが、電流の抵抗損によって電磁石は発熱する。さらに、電磁石にコア（鉄心）が用いられると発生する磁界を大きくすることができるが、渦電流による発熱が生じる。従って、発生する磁界を大きくするため、さらに電流が大きくなると、より一層発熱が問題になる。
【０００７】
一方、発熱が生じると、被蒸着基板及び蒸着マスクにその熱が伝搬して温度が上昇する。被蒸着基板と蒸着マスクとは、材料が異なるため、その線膨張率も異なる。例えば被蒸着基板と蒸着マスクの線膨張率の差が３ｐｐｍ／℃あると１ｍの長さのパネルでは、端と端で１℃当たり３μｍのずれが生じる。例えば１画素の大きさの一辺が６０μｍとすると、５.６ｋの解像度では、１５％程度のずれまでしか許容されないと考えられている。そうすると、ずれは９μｍが限界である。前述の例では、１℃の温度上昇で３μｍのずれが生じるので、３℃の温度上昇が限界になる。すなわち、電磁石の温度上昇による被蒸着基板及び蒸着マスクの温度上昇が３℃以下に抑えられることが必要になる。一方で、電磁石は真空チャンバー内に配置されているため、送風や対流による放熱は難しい。金属パイプを巻き付け、その中に冷却水を流して水冷することも考えられるが、冷却水を介しての放熱では時間がかかり、短時間で発生する大量の熱を充分に放熱することができないと共に、継手部が破裂すると大量の水が真空チャンバー内に溢れ、真空チャンバーが破損するという危険性がある。
【０００８】
本発明は、このような問題を解決するためになされたものであり、電磁石で発生する熱を即座に、しかも確実に冷却し、又は発生する熱を抑制しながら被蒸着基板の脱着及び蒸着マスクとの位置合せを簡単に行える蒸着装置及び蒸着方法を提供することを目的とする。
【０００９】
本発明の他の目的は、上記蒸着方法を用いて、表示品位の優れた有機ＥＬ表示装置の製造方法を提供することにある。
【課題を解決するための手段】
【００１０】
本発明の第一の実施形態の蒸着装置は、真空チャンバーと、前記真空チャンバーの内部に配置される蒸着マスクを保持するマスクホルダーと、前記マスクホルダーに保持される蒸着マスクと接するように被蒸着基板を保持する基板ホルダーと、前記基板ホルダーに保持される被蒸着基板の前記蒸着マスクと反対面の上方に配置される電磁石と、前記蒸着マスクと対向させて設けられ、蒸着材料を気化又は昇華させる蒸着源と、少なくとも第一端部である吸熱部が前記電磁石に接触して設けられ、前記吸熱部と反対の第二端部である放熱部が前記真空チャンバーの外部に導出されるヒートパイプと、を有し、前記ヒートパイプと前記電磁石との接触部が、前記電磁石のコイルの内周の断面積以上の面積で密着して接合されている。
【００１１】
本発明の第二の実施形態の蒸着方法は、電磁石と、被蒸着基板と、磁性体を有する蒸着マスクとを重ね合せ、かつ、前記電磁石への通電によって前記被蒸着基板に前記蒸着マスクを吸着させる工程、及び前記蒸着マスクと離間して配置される蒸着源からの蒸着材料の飛散によって前記被蒸着基板に前記蒸着材料を堆積する工程、を含み、前記電磁石のコイルの内周の断面積よりも広い面積で前記電磁石に密着させたヒートパイプによって前記電磁石を冷却しながら前記蒸着材料の堆積を行う。
【００１２】
本発明の第三の実施形態の有機ＥＬ表示装置の製造方法は、支持基板上にＴＦＴ及び第一電極を少なくとも形成し、前記支持基板上に前述の蒸着方法を用いて有機材料を蒸着することによって有機層の積層膜を形成し、前記積層膜上に第二電極を形成することを含んでいる。
【発明の効果】
【００１３】
本発明の第一及び第二の実施形態の蒸着装置及び蒸着方法によれば、電磁石の発熱による被蒸着基板及び蒸着マスクの温度上昇が抑制される。そして、熱膨張による蒸着マスクと被蒸着基板との位置ずれが抑制される。その結果、有機層の蒸着精度が向上し、正確なパターンで蒸着される。有機ＥＬ表示装置の製造に使用すれば、精細な画素によって、高精細な表示パネルが得られる。
【図面の簡単な説明】
【００１４】
【図１】本発明の一実施形態の蒸着装置の概略図を示す図である。
【図２Ａ】図１のヒートパイプの構成例を説明する図である。
【図２Ｂ】図１のヒートパイプの変形例を説明する図である。
【図３】電磁石とヒートパイプとの接合の他の実施態様を示す図である。
【図４】電磁石とヒートパイプとの接合のさらに他の実施態様を示す図である。
【図５Ａ】電磁石とヒートパイプとの接合のさらに他の実施態様を示す図である。
【図５Ｂ】図５ＡのＶＢ−ＶＢ断面図である。
【図６Ａ】電磁石とヒートパイプとの接合のさらに他の実施態様を示すヒートパイプの平面図である。
【図６Ｂ】図６ＡのVIＢ−VIＢ断面図である。
【図６Ｃ】図６Ａのヒートパイプを丸めた斜視図である。
【図６Ｄ】図６Ｃのヒートパイプをコアの内部に埋め込む状態を示す図である。
【図７Ａ】電磁石とヒートパイプとの接合のさらに他の実施態様を説明するためのヒートパイプの説明図である。
【図７Ｂ】図７Ａの吸熱部の平面図である。
【図７Ｃ】図７Ｂのウィック構造体の説明図である。
【図７Ｄ】図７Ａのヒートパイプを蒸着装置に組み込んだ状態を示す模式図である。
【図８】ヒートパイプを真空チャンバーに接続する構造例を示す図である。
【図９】蒸着マスクの一例の拡大図である。
【図１０】本発明の有機ＥＬ表示装置の製造方法による蒸着工程を示す図である。
【図１１】本発明の有機ＥＬ表示装置の製造方法で有機層が積層された状態を示す図である。
【発明を実施するための形態】
【００１５】
次に、図面を参照しながら本発明の第一及び第二の実施形態の蒸着装置及び蒸着方法が説明される。図１に示されるように、本実施形態の蒸着装置は、真空チャンバー８と、真空チャンバー８の内部に配置される蒸着マスク１を保持するマスクホルダー１５と、マスクホルダー１５に保持される蒸着マスク１と接するように被蒸着基板２を保持する基板ホルダー２９と、基板ホルダー２９に保持される被蒸着基板２の蒸着マスク１と反対面の上方に配置される電磁石３と、蒸着マスク１と対向させて設けられ、蒸着材料５１を気化又は昇華させる蒸着源５と、少なくとも第一端部である吸熱部７１が電磁石３に接触して設けられ、吸熱部７１と反対の第二端部である放熱部７２が真空チャンバー８の外部に導出されるヒートパイプ７とを有し、ヒートパイプ７と電磁石３との接触部が、電磁石３のコイル３２の内周の断面積以上の面積で密着して接合されている。なお、図１で４は被蒸着基板２を冷却すると共に被蒸着基板２の変形を防止するタッチプレートである。
【００１６】
ここに電磁石３とは、コイル３２に通電することによって磁界を発生させ、通電を止めると磁界を失うものを意味し、コイル３２の内部にコア（磁心、鉄心）３１を有する場合はそのコア３１、コア３１にさらにヨーク３３が取り付けられる場合はそのヨーク３３、及びコイル３２とコア３１などを樹脂などの被覆物３４（図３参照）で一体化する場合は、その被覆物３４なども含む意味である。また、ヒートパイプ７の吸熱部７１とは、ヒートパイプ７と電磁石３との接触部分を指す。
【００１７】
蒸着装置の概略構造については後述されるが、図１に示されるように、蒸着マスク１と被蒸着基板２とは上下に並置して配置されているので、蒸着マスク１と被蒸着基板２との密着性（良好な接近性）を得るため、被蒸着基板２の蒸着マスク１と反対面の上方に磁石３が配置され、磁石の磁界による蒸着マスク１の吸引を行う磁気チャックの方法が採用されている。この場合、強い磁界によれば、強く吸着される。しかし、この磁石に永久磁石が用いられると、蒸着マスク１と被蒸着基板２との位置合せの際にも強い磁界が働いているため、被蒸着基板２と蒸着マスク１とは、近接している場合常に強く吸着される。そのため、被蒸着基板２と蒸着マスク１との正確な位置合せを行い難いという問題がある。
【００１８】
一方、磁石として、電磁石３が用いられると、位置合せの際には電磁石３の電流をオフにすることによって磁界の発生しない状態で位置合せを行える。その結果、簡単に位置合せを行い得る。しかし、位置合せ後に電磁石３に電流を流し磁界を発生させると、電磁石３が発熱するという問題が生じる。すなわち、電磁石３による磁界は、電磁石３のコイル３２の巻数ｎとコイル３２に流れる電流Ｉとの積ｎ・Ｉに比例する。そのため、充分な磁界によって蒸着マスク１を吸着しようとすると、電流Ｉを大きくするか、コイル３２の巻数ｎを多くする必要がある。コイル３２の巻数ｎを多くすると、電線が長くなり、電気抵抗Ｒが増大する。すなわち、電流Ｉ又はコイル３２の巻数ｎのいずれを大きくしてもジュール熱Ｉ2・Ｒが大きくなる。そのため、磁界を強くすればするほど発熱の問題は大きくなる。
【００１９】
例えば１ｍ四方（１ｍ×１ｍ）の蒸着マスク１を用いて蒸着する場合、充分に吸着するためには、図１に示されるような小さい電磁石３（以下、単位の電磁石３という）を並べた構造にすることが、磁力分布の均一化、及び放熱の容易さから好ましい。この場合、前述の蒸着マスク１をカバーするのに、例えば２０ｃｍ角のコア３１を有する単位の電磁石３が２５個ほど配置される。１個の単位電磁石３は、コア３１の周囲に１００ｍ程度の長さの電線が巻回される。この電線として直径１ｍｍ程度の銅線（抵抗率１.７２×１０-8Ω・ｍ）を使用すると（比較的安価なアルミニウム線を用いると抵抗率は２.７８×１０-8Ω・ｍ）、長さ１００ｍで、抵抗Ｒは約２.２Ωとなる。
【００２０】
この単位電磁石３一つ当たりの電流を２Ａとすると、発生する熱量はＩ2・Ｒ＝８.８Ｗになる。被蒸着基板２の１個当たりの蒸着時間は（通電時間）は、１２０秒程度であるが、例えば単位の電磁石３を２分間連続で動作せると、８.８Ｗ×１２０ｓ＝１０５６Ｊ（ジュール）の熱量を発生する。これは、２５２ｃａｌに相当し、１５℃程度の温度上昇を招くことになる。この単位の電磁石３が２５個あるため、発生する熱量は６３００ｃａｌとなるが、体積（面積）も大きくなり、全体の電磁石３の温度が２５倍になる訳ではない。しかし、隣接する単位の電磁石３間の相互の熱作用もあり、また、被覆物３４の有無など、周囲の熱容量などによっても変り得る。しかも、実際には、被蒸着基板２を取り換えて、連続的に蒸着は行われるので、電磁石３が冷め切らないうちに、さらに加熱されることになり、熱量が蓄積されてさらに温度が上昇する。これらを考慮すると、全体の電磁石３で、最高２０℃程度は上昇すると考えられる。この電磁石３の温度上昇による蒸着マスク１などの温度上昇も、諸々の条件によって変わり得るが、電磁石３の温度上昇が２０℃程度とすると、被蒸着基板２及び蒸着マスク１の温度が１２℃程度上昇すると考えられる。
【００２１】
一方、被蒸着基板２や蒸着マスク１の温度が上昇すると熱膨張が生じる。しかし、被蒸着基板２と蒸着マスク１とは材料が異なるため、熱膨張に差が出る。例えば被蒸着基板２がガラスで、蒸着マスク１の金属支持層１２（図９参照）に膨張の小さいインバーを用いても、被蒸着基板２と蒸着マスク１との間で線膨張率差が３ｐｐｍ／℃程度生じる。熱膨張率が３ｐｐｍ／℃異なると、１ｍの表示パネルの一端と他端では３μｍのずれが生じる。表示装置の大型化、かつ、４ｋや８ｋなどの高精細化に伴い、例えば５.６ｋの解像度で、画素のずれは１５％程度が限度と考えられる。前述の一辺が１ｍ程度の大型画面では、各画素の大きさは、一辺が６０μｍ程度であり、１５％のずれは、９μｍとなる。すなわち、３℃の温度上昇があると、精細な画像を得るための限度となる。蒸着源５からの熱輻射による温度上昇も考えられることから、電磁石３による温度上昇は極力避けられなければならない。要するに、電磁石３による蒸着マスク１の温度上昇は、最悪でも（解像度が低い場合でも）１０℃以下、好ましくは５℃以下、さらに好ましくは３℃以下に抑えられなければならないことを本発明者らは見出した。
【００２２】
前述の例では、表示パネルの一辺の大きさが、１ｍのときの例であるが、一般的に表示パネルの一辺と１画素の一辺とは、解像度が同じであれば、ほぼ比例的に変るので、例えば一辺が５０ｃｍの表示パネルで同じ解像度（前述の例は５.６ｋの解像度）にしようとすると、１画素の一辺の長さは３０μｍになる。従って、４.５μｍ（１５％）のずれが、５０ｃｍの長さに許容される。すなわち、４.５μｍ／５０ｃｍ＝９ｐｐｍとなり、線膨張率差が３ｐｐｍ／℃の場合、３℃まで許容される。要するに、どの大きさの表示装置に対しても、解像度が同じで、画素ずれの許容割合が同じであればこの関係は成り立つ。しかし、解像度をそれ程高く要求されなければ、例えば現状のテレビジョンの解像度程度であれば、ずれの程度は４０％程度まで容認することができると考えられる。従って、１ｍの長さのパネルで２５μｍ程度のずれまで許容され得る。すなわち電磁石３からの熱伝導による蒸着マスク１の温度上昇は、表示パネルの精細度によるが、８ｋ程度の精細度が求められる場合には、２℃以下に、４ｋ程度の精細度では、５℃以下、通常のテレビジョン程度の精細度でも１０℃程度以下になるように電磁石３の放熱がなされる必要があることを本発明者らは見出した。
【００２３】
その観点から、本発明者らは、水冷による電磁石３の冷却では不充分で、また、真空チャンバー８の内部であるため、送風や対流による熱放出も行えず、ヒートパイプ７の採用に想到した。この場合、ヒートパイプ７であれば、雰囲気温度でその環境を充分に冷却させることができるが、真空蒸着装置では、図１に示されるように、電磁石３と被蒸着基板２及び蒸着マスク１とが非常に近接して配置されている。そのため、電磁石３の被蒸着基板２と対向する面の近傍にヒートパイプ７を設けることが好ましいが、通常の棒状のヒートパイプ７では、配置するスペースが無い。一方で、ヒートパイプ７によれば、その放熱部７２（図１参照）を真空チャンバー８の外部に配置することによって、電磁石３で発生する熱を真空チャンバー８の外部に排出することができる。そのため、真空チャンバー８の内部の温度上昇が効率よく抑制されるので、ヒートパイプ７の使用が好ましい。
【００２４】
もし、棒状のヒートパイプ７を挿入するためスペースを設けることを考えると、電磁石３と蒸着マスク１との距離が大きくなる。その結果、蒸着マスク１での磁界が弱くなり、吸着力が低下する。その吸着力を確保するためには、電磁石３の磁界をさらに上昇させるために電流を大きくする必要があり、その結果、さらに発熱させることになる。従って、電磁石３の被蒸着基板２と対向する面と離れたところにヒートパイプ７を配置する場合には、電磁石３から発生する熱は殆ど全て吸収される必要があり、ヒートパイプ７を設ける場合に、どのように配置するかが非常に大きな問題になることを本発明者らは見出した。
【００２５】
本発明者らは、このような問題を解決するため、鋭意検討を重ねた結果、電磁石３の蒸着マスク１に向く面と反対面であっても、ヒートパイプ７を電磁石３と広い面積で接触させることによって、電磁石３の蒸着マスク１に対向する端面の温度を下げ得ることを見出した。具体的には、少なくとも電磁石３のコイル３２の内周の断面積よりも大きい面積でヒートパイプ７の吸熱部７１と電磁石３とを接触（密着）させることで、電磁石３自身の温度を低下させることができ、蒸着マスク１の温度上昇を抑制し得ることを本発明者らは見出した。
【００２６】
換言すると、特に発熱するコイル３２及びコア３１の部分を冷却することが重要であり、その部分にヒートパイプ７の吸熱部７１を接触させることが効果的であった。すなわち、前述のように、被蒸着基板２及び蒸着マスク１の温度が上昇しないようにすることを目的としているので、電磁石３の蒸着マスク１に向く端面の温度を低下させることが好ましい。しかし、その適当な冷却手段が無い場合、電磁石３そのものの温度を低下させる必要がある。この場合、コイル３２及びコア３１の温度が最も上昇するので、この部分の温度を低下させることが重要になる。そのため、ヒートパイプ７の吸熱部７１を電磁石３のコア３１又はコイル３２とできるだけ広い面積で接触させることが必要となる。すなわち、最低限コア３１の端面の全面、さらにその外周にコイル３２が巻回されていることを考慮すると、コイル３２の外周の断面積以上と接触させることが好ましい。
【００２７】
このコイル３２の内周の断面積、又はそれよりも大きい面積で接触させる理由は、電磁石３は、通常、強い磁界を得るためコア（磁心）３１が設けられ、コイル３２はその周囲に巻回される。従って、コイル３２の内周の断面積は、コア３１の断面積とほぼ等しい。一方、電磁石３の発熱は、コイル３２の抵抗損によるコイル３２の発熱と、コア３１が設けられる場合には、そのコア３１に発生する渦電流による抵抗損である。コイル３２に発生する熱は、コイル３２が一般的にはコア３１に巻き付けられるため、コイル３２とコア３１は密着しており、コイル３２の熱はコア３１に容易に伝達する。そのため、このコア３１を冷却すべく、少なくともコア３１の端面の全面にヒートパイプ７を接触させることで、発生する熱を効率的に発散させ得ることを本発明者らは見出した。さらに、発熱するコイル３２との接触も考慮すると、コイル３２の外周の断面積又はそれより大きいことが好ましい。接触面積を大きくするため、コア３１の内部にヒートパイプ７の吸熱部７１の一部が埋め込まれることが好ましいが、コア３１があまり削られると、磁界を弱くさせる。
【００２８】
しかし、電磁石３には、前述のように、コイル３２とコア３１のみならず、例えば図１に示されるように、ヨーク３３が接続される場合は、そのヨーク３３も含まれる。また、図３に示されるように、コア３１、コイル３２、ヨーク３３などが樹脂などの被覆物３４によって、一体にされる場合には、その被覆物３４なども電磁石３の一部と見做され得る。従って、図１に示されるように、ヨーク３３が接続される場合には、そのヨーク３３の幅をコア３１の径よりも大きい幅で形成することによって、図１に示されるようにヨーク３３の内部に一部を埋め込まなくても、接触面積を大きくすることができる。
【００２９】
また、コイル３２やコア３１などを樹脂などの被覆物３４によって一体化し（図３参照）、その被覆物３４の内部にヒートパイプ７の吸熱部７１が埋め込まれてもよい。さらに、コア３１又はヨーク３３の内部にヒートパイプ７の吸熱部７１の一部が埋め込まれ（図１、図４参照）てもよい。又は、ヒートパイプ７の吸熱部７１を細長く形成して、磁界の形成にあまり影響しないように、コア３１の内部に深く挿入する（図５Ａ〜５Ｂ）こともできる。さらに、ヒートパイプ７の吸熱部７１を平板状（扁平状）にしてリング状にし、そのリング状のヒートパイプ７の吸熱部７１をコア３１の内部に埋め込んでもよい（図６Ｄ）。さらに、Thermal Science & Engineering Vol. 2 No. 3（2015）の４１〜５６頁に示されているような、ループ型のヒートパイプ７の平面状の吸熱部７１が電磁石３全体の蒸着マスク１と対向する端面に設けられ（図７Ａ〜７Ｄ）てもよい。この場合、タッチプレート４（図１参照）の代りに平板状の吸熱部７１だけにすることも可能である。すなわち、ループ型のヒートパイプ７の平板状の吸熱部７１によって、冷却のみならず、被蒸着基板２の反りを抑制することも可能である。
【００３０】
また、コア３１は鉄などで形成されており、熱伝導はそれ程よくない。そのため、銅などの熱伝導率の大きい材料による被膜３１ｂがコア３１の表面、少なくともヒートパイプ７との接触部近傍に形成されていることが好ましい。ヒートパイプ７をできるだけ広い面積で電磁石３に密着させることによって、効率的に電磁石３で発生した熱を真空チャンバー８の外に排出することができる。この電磁石３とヒートパイプ７との接触面積を大きくする方法は、後述される。
【００３１】
（ヒートパイプの構造）
ヒートパイプ７は、典型的な例としては、図２Ａに示されるような構造になっている。すなわち、例えば銅などからなり、真空密閉されたパイプ（ケース；容器）７５の内壁に、毛細管現象で液体を移動させるウィック７６が形成され、パイプ７５の内部に水などからなる作動液（図示せず）が少量封入された真空（低圧）構造になっている。この構造で、一端部である吸熱部７１で周囲の熱によって加熱されると、作動液が蒸発して蒸気が発生し、パイプ７５の内部圧力が高くなる。その蒸気が空間部７３を通って、他端部である放熱部（冷却部）７２で、凝縮して液化する。液化した液体は、パイプ７５の内壁に形成されたウィック７６内を毛細管現象によって吸熱部７１に向かって進む。このような蒸発と凝縮に伴う潜熱移動によって、小さな温度差でも吸熱部７１から放熱部７２に大量の熱が輸送され、ヒートパイプ７は、銅の丸棒の熱伝導に比べて１００倍にも達すると言われている。ウィック７６は、毛細管現象で液体が進行する構造であればよく、金網や多孔質体やスポンジのような構造などでもよい。
【００３２】
前述のように、ヒートパイプ７が横向きに配置されると、凝縮した液体はウィック７６を通って吸熱部７１に運ばれる。しかし、例えばこのヒートパイプ７が縦向きに配置され、下側が吸熱部７１にされる（すなわち温度の高い部分がヒートパイプ７の下側になるように配置される）と、下側で液体が蒸発し、その蒸気が上に昇って放熱部７２で凝縮する。この場合、ウィック７６が無くても、液化した液体は、自重で落下し、吸熱部７１に戻る。これはサーモサイホン式と言われている。本実施形態では、いずれの方式のヒートパイプ７でも使用され得る。例えばヒートパイプ７が縦向きに配置される場合でも、ウィック７６が存在していてもよい。
【００３３】
図２Ｂは、他の構造例であるヒートパイプ７を示す図である。ヒートパイプ７は内部に水などの作動液体が封入されている。一方、このヒートパイプ７は、前述のように、その吸熱部７１が電磁石３と接触するように設けられている。そのため、真空チャンバー８の内部に設けられる。もしこのヒートパイプ７が破損すると、内部に封入されている液体が真空チャンバー８の内部に漏れることになる。真空チャンバー８の内部に液体が漏出すると、その信頼性及びメンテナンスが大変になる。
【００３４】
図２Ｂに示される構造は、そのような問題を解決するためのものであり、二重構造に形成されている。すなわち、前述のヒートパイプ７のパイプ７５の、例えば吸熱部７１の端部を閉塞板７７と鍔部７５ａとで構成し、その鍔部７５ａに保護パイプ７８が溶接又はロウ付けなどによって設けられ、この保護パイプ７８とパイプ（容器）７５との間に空間７９を形成されている。この空間７９は真空にされてもよい。このような構造にされることによって、パイプ（容器）７５が破損しても作用液は真空チャンバー８の内部に漏出しない。
【００３５】
また、ヒートパイプ７は、図２Ａに示されるような棒状の形状に限らず、後述される図６Ａ〜６Ｂに示されるような扁平な形状（平板状）にも形成され得る。この場合、パイプ（容器）７５も空間部７３が保持できる程度の剛性を有しながら、曲げ加工が可能な薄い金属板又は合成樹脂などによって形成され得る。さらに、例えば後述する図７Ａ〜７Ｃに示されるようなループ型のヒートパイプ７を用いることもできる。このようなループ型のヒートパイプ７は、例えば１０ｍｍ程度の非常に薄い扁平状（平板状）の吸熱部７１に形成されるため、電磁石３の前面、すなわち蒸着マスク１を向く端面に配置することができる。この場合、図１に示されるタッチプレート４を省略して、このヒートパイプ７の吸熱部７１で代用することもできる。その結果、電磁石３の吸引力に殆ど影響を与えることなく、ヒートパイプ７が配置され得る。
【００３６】
次に、このヒートパイプ７と電磁石３とをコイル３２の内周の断面積よりも大きい面積で接触させる実施態様について説明される。
【００３７】
（実施態様１）
この実施態様１は、図１に示されるように、電磁石３が、コア３１と、そのコア３１に電線が巻回されて形成されるコイル３２と、コア３１の端部に接続される断面がＣ型形状のヨーク３３（コア３１と共にＥ型ヨーク）とで形成されている。そして、例えば図１に示されるようなヒートパイプ７がヨーク３３の背面（蒸着マスク１を向く面と反対面）に接続して設けられている。このようなヨーク３３にヒートパイプ７を接触させる構造にすることによって、ヒートパイプ７の径を大きくすることで、接触面積をコイル３２の内周の断面積よりも大きくし得る。
【００３８】
この図１に示される例では、ヨーク３３にヒートパイプ７の吸熱部７１が埋め込まれるように配置されている。このヒートパイプ７の吸熱部７１の一部がヨーク３３の内部に埋め込まれることは必須ではない。ヒートパイプ７の端面の面積がコイル３２の内周の断面積より大きければ充分に放熱される。しかし、前述のように、両者の接触面積は大きければ大きいほど好ましい。すなわち、ヒートパイプ７の端面の面積のみならず、埋め込まれた部分の周面の面積でも接触することになる。これによって、電磁石３の放熱効果が向上する。一方、ヨーク３３は磁力線の通路となるので、あまり深く埋め込むと、磁力線を妨害する。しかし、予めヨーク３３の厚さを厚く形成しておくことによって、その影響を抑制することができる。
【００３９】
図示されていないが、コア３１の表面やヨーク３３の表面に銅メッキなどによる熱伝導率の大きい被膜３１ｂが形成されることによって、より一層放熱効果が高まる。ヒートパイプ７は、銅よりも１００倍ほど高い熱伝導を有するが、前述のように、電磁石３にヒートパイプ７を効果的に接触させるスペースが限られている。そこで、限られた位置に配置されるヒートパイプ７までの電磁石３内での熱伝導を良好にすることが好ましい。
【００４０】
ヨーク３３が設けられることによって、蒸着マスク１に作用する磁界が強くなる。電磁石３の蒸着マスク１に向く面と反対面の磁極が、ヨーク３３を介して蒸着マスク１に向く端面の近くに来ているので、空中を介するよりも磁気抵抗が小さく、強い磁界が得られる。その結果、所望の吸着力を得るための電流又は電磁石３の数を減らすことができ、より一層発熱が防止され、蒸着マスク１などの温度上昇が抑制される。
【００４１】
（実施態様２）
実施態様２の構成は、図３に示されるように、コイル３２と、コア３１と、ヨーク３３とが、例えばエポキシ樹脂などの耐熱性樹脂などの被覆物３４によって一体に被覆されている。被覆物３４の材料としては、この例に限らないが、真空チャンバー８の内部に配置されるので、ガスを発生し難い材料であることが好ましい。例えばＰＥＥＫ（ポリエーテルエーテルケトン）などを用いることもできる。特に熱伝導の良好なものが好ましい。必要に応じて、金属粉などのフィラーが混入されてもよい。
【００４２】
図３に示される例では、ヒートパイプ７の吸熱部７１がヨーク３３の表面に接する状態で取り付けられている。このような構造でも、ヒートパイプ７の吸熱部７１が被覆物３４の内部に埋め込まれているので、ヒートパイプ７の側面でも電磁石３（被覆物３４及びヨーク３３）と接触している。従って、ヒートパイプ７と電磁石３との接合面積が充分に確保される。また、図３に示される例では、ヨーク３３を介してヒートパイプ７が取り付けられているが、ヨーク３３は無くてもよい。ヨーク３３が無くても、ヒートパイプ７の吸熱部７１の側面で被覆物３４と接するので、熱伝導に必要な接触面積が確保され得る。
【００４３】
図３に示されるように、被覆物３４で電磁石３のコア３１及びコイル３２の部分が被覆されることによって、ヒートパイプ７との接触面積を増やしやすいのみならず、コイル３２で発生する熱を直接被覆物３４によって伝導することが可能になる。すなわち、コイル３２の外表面は、断面が円形の電線の巻回により形成されているので、山状の表面が連続した形状になっており、ヒートパイプ７を直接接触させようとしても、充分な接触面積が得られない。しかし、樹脂などの被覆物３４によって被覆されると、コイル３２の隙間まで被覆物３４は充填されるので、コイル３２との接触は完全に得られる。その結果、コイル３２で発生した熱を、コア３１を介することなく、直接被覆物３４を介してヒートパイプ７に伝達することができる。そのため、非常に放熱効果が向上する。この場合、コイル３２などで発生した熱が被覆物３４によって覆われることによって、直接輻射されないで、熱がこもりやすいと考えられる。しかし、元々電磁石３は真空チャンバー８の内部に配置されるので、対流による放熱は期待し難く、それより被覆物３４の伝導による放熱効果の方が大きいと考えられる。
【００４４】
（実施態様３）
図４は実施態様３を示す図である。この実施態様３の構成は、コア３１の一端部にヒートパイプ７の太さ、及び形状に合せた凹部３１ａが形成され、その凹部３１ａの内部にヒートパイプ７の吸熱部７１が埋設されている。この構造にすれば、ヒートパイプ７の端部の面積は、コア３１の外周、すなわちコイル３２の内径よりも小さくなる。しかし、ヒートパイプ７の吸熱部７１がコア３１の内部に埋め込まれている。そのため、ヒートパイプ７の側面にも接触面積があり、コア３１の断面積よりも接触面積を大きくすることができる。
【００４５】
この凹部３１ａの深さｄは、接触面積を大きくするという観点からは、大きいほど好ましい。しかし、あまり深いとその内部を通る磁力線の磁気抵抗が大きくなる。そのため、前述のように、電磁石３とヒートパイプ７との接触面積がコア３１の断面積より大きくなる程度の深さｄに形成される。具体的には、ヒートパイプ７の吸熱部７１の端面の半径をｒ、コア３１の断面積の半径をＲとすると、両者の接触面積Ｓ１は、Ｓ１＝πｒ2＋２πｒｄになり、コア３１の断面積、すなわちコイル３２の内径の断面積は、Ｓ２＝πＲ2になる。従って、Ｓ１≧Ｓ２になるには、（πｒ2＋２πｒｄ）≧πＲ2となる。すなわち、ｄ≧（Ｒ2−ｒ2）／２ｒということになる。
【００４６】
図１に示される例でも同様であるが、この場合も、特にヒートパイプ７と電磁石３（コア３１）との接触が良好であることが好ましい。そのため、凹部３１ａ内で熱伝導性の良好な接着剤又はハンダ付け、ロウ付けなどによる接着が好ましい。また、コア３１などの熱がヒートパイプ７に伝導することが重要である。そのため、熱伝導の良好な銅めっきなどの被膜３１ｂが形成されることが好ましい。このような熱伝導率がコア３１よりも大きい被膜３１ｂの形成は、図４に示される例に限定されるものではなく、他の実施形態においても同様である。また、コア３１などの全面に被膜３１ｂが形成されていなくても、少なくともヒートパイプ７と接合される部分の近傍に形成されていれば効果がある。
【００４７】
（実施態様４）
図５Ａ〜５Ｂは、実施態様４を説明する図である。すなわち、図５Ａは側面図で、図５ＢはそのＶＢ−ＶＢ断面図である。この例は、ヒートパイプ７を細くして、コア３１の内部に埋め込んだものである。すなわち、その断面積を小さくすれば、磁力線に対する悪影響は抑制される。そして、ヒートパイプ７の吸熱部７１を長くしてコア３１の内部に深く埋め込まれることによって、ヒートパイプ７とコア３１、すなわち電磁石３との接触面積を充分に大きくし得る。そのため、細いヒートパイプ７にして、コア３１の内部に埋め込まれることによって、磁力線への影響を抑制しながら、コア３１の温度を効率的に低下させ得る。
【００４８】
このコア３１の内部にヒートパイプ７を埋め込む方法としては、コア３１にヒートパイプ７の太さの孔をあけて、ヒートパイプ７の吸熱部７１を挿入し、熱伝導率の大きい接着剤で接着するか、前述のように、ハンダ付け、ロウ付けなどで接着されてもよい。また、ヒートパイプ７がコア３１に形成された孔に挿入されて、隙間にカーボンナノチュープなどの熱伝導率の大きい微粉末を含む樹脂で両者間の隙間をなくしてもよい。そうすることによって、コア３１からヒートパイプ７への熱伝導が向上する。また、別の方法として、所望のコア３１の形状の凹部を有する成形用金型に焼結用鉄粉を入れて、その中にヒートパイプ７を埋め込んで粉末を押しつけて焼結する、いわゆる圧粉磁心の形成法を用いることによっても、コア３１の内部にヒートパイプ７を埋め込むことができる。
【００４９】
このような構造にすることによって、磁力線に余り影響を与えることなく、コア３１の内部にヒートパイプ７を充分な深さまで埋め込むことができる。すなわち、コア３１の断面積を余り減らすことなく、ヒートパイプ７とコア３１との接触面積は大きくされ得る。さらに、コア３１の奥深くまでヒートパイプ７が挿入されることで、電磁石３の蒸着マスク１に向く面の温度が低下されやすい。すなわち、前述のように、電磁石３と蒸着マスク１との間は、その距離を小さくする必要から通常の棒状のヒートパイプ７を挿入するスペースはない。そのため、ヒートパイプ７は、電磁石３の蒸着マスク１に向く面と反対面からコア３１に挿入、又は接触される。その結果、コア３１の冷却も電磁石３の蒸着マスク１に向く面と反対面から行われる。しかし、本実施形態によれば、コア３１の蒸着マスク１に向く面に限りなく接近させ得る。ヒートパイプ７がコア３１を貫通して電磁石３の前面（蒸着マスク１に向く面）に露出することも可能である。要するに、電磁石３の一番冷却されるべき蒸着マスク１に向く面が効率的に冷却され得る。
【００５０】
（実施態様５）
図６Ａ〜６Ｄは、第５の実施態様を説明する図である。すなわち、この実施態様５は、ヒートパイプ７を扁平状に形成して、丸めてコア３１内に埋め込むものである。図６Ａにヒートパイプ７の平面図が、図６ＢにそのVIＢ−VIＢ断面図がそれぞれ示されるように、本実施態様５では、ヒートパイプ７が扁平状（平板状）の筒型の直方体形状に形成されている。この直方体形状でも、一端部が吸熱部７１になっており、他端部が放熱部７２になっている。このヒートパイプ７は、図２Ａに示されるような丸棒形状ではなく、扁平形状である点で異なっているが、容器（パイプ）７５の内面にウィック７６が形成される点は同じであり、機能も同じである。このウィック７６は、前述のように、吸熱部７１が鉛直下方で、放熱部７２が鉛直上方に形成されていればなくてもよい。この容器７５は、内部が低気圧にされても変形せず、かつ、可撓性のある材料で形成されている。例えば０.１〜０.５ｍｍ厚程度の薄い銅板、ステンレス鋼板などが用いられ得る。
【００５１】
可撓性を有する理由は、図６Ｃに斜視図で示されるように丸めるためである。図６Ｃに示されるように丸めることにより、図６Ｄに模式的に示されるように、コア３１の内部に埋め込んでも、コア３１の断面積の減少を最小限にし得る。すなわち、磁界への影響を最小限にし得る。図６Ｄでは、模式的に示されているので、ヒートパイプ７がコア３１の上部のみに挿入されている。しかし、ヒートパイプ７は、コア３１の下端部（電磁石３の前面）又はその近傍まで挿入され得る。なお、図６Ｃで、丸めた形状がきれいな円筒状になる必要はなく、四角形でも、不定形でも構わない。また、丸めた端部同士は、接合されてもよいが、接合される必要はなく、隙間があってもよい。符号７４は銅などからなる密閉栓である。放熱部７２が真空チャンバー８の外部に導出されるので、真空チャンバー８の内部の真空を維持できるように気密に封止される。
【００５２】
このようなヒートパイプ７をコア３１の内部に埋め込むには、前述の実施態様４と同様に、コア３１に溝を形成して、その中に丸めたヒートパイプ７を挿入して隙間をなくすることもできる。しかし、丸められたヒートパイプ７の形状を一定にできない場合には、前述の磁性体粉末を圧縮成形する圧粉磁心の形成法によってコア３１を形成することで容易に実施態様５の構成が得られる。
【００５３】
前述の例では、扁平状の直方体形状のヒートパイプ７を丸めてリング状に形成したが、リング状に形成される必要はない。例えば、例えば図６Ａに示されるヒートパイプ７を吸熱部７１と放熱部７２を含むように短冊状に切断した形状のヒートパイプ７を複数個形成して、それを個々にコア３１の内部に埋め込む構造でもよい。そうすることによって、ヒートパイプ７を丸めることなく、コア３１の形状に合せてコア３１の内部に小さい断面積で埋め込むことができる。この場合、放熱部７２を真空チャンバー８の外部に導出する必要があるので、真空チャンバー８への固定において、後述されるベローズの使用が必要になる。しかし、後述されるように被蒸着基板２（図１参照）や蒸着マスク１（図１参照）が交換される場合でも、電磁石３（図１参照）を固定した状態で行うようにすることによって、ヒートパイプ７（例えば放熱部７２の近傍の部分）を直接真空チャンバー８に固着することができる。
【００５４】
この方法によれば、ヒートパイプ７が薄い扁平形状に形成されるため、コア３１の内部に埋め込まれても、コア３１の中での断面積が小さく、磁力線への影響は非常に小さい。しかも、埋め込む深さによっても磁力線の影響は殆ど変らない。従って、コア３１の高さの殆ど全体に埋め込むことができる。その結果、電磁石３の蒸着マスク１と対向する面の温度を有効に下げることができる。すなわち、ヒートパイプ７が電磁石３の冷却に非常に有効に働く。
【００５５】
（実施態様６）
図７Ａ〜７Ｄは、実施態様６の説明図である。この実施態様６は、前述のThermal Science & Engineering Vol. 2 No. 3（2015）の４１〜５６頁に示されているループ型のヒートパイプ７と同様の構造にしたものである。図７Ａにはこのループ型のヒートパイプ７の側面図が、図７Ｂには吸熱部７１の平面説明図が、図７Ｃにはウィック構造体８０の構造例が、それぞれ示されている。すなわち、図７Ｂに示されるように、銅などからなるケース（容器）８１の内部に、ウィック構造体８０が複数個（図７Ｂに示される例では６個）埋め込まれている。各ウィック構造体８０は、図７Ｃにその断面構造が示されているように、中心部にウィックコア８３を有し、その周囲にウィック８２が歯車状に形成され、その歯の部分の各ウィック８２の間に溝８４が形成され、蒸気の通り道になっている。
【００５６】
このウィック８２は、例えば８ｍｍ×９ｍｍ（高さを潰してオーバル形にすることによって吸熱部７１の厚さを薄くすることができる）程度に形成され得る。この場合、溝８４の深さは１ｍｍ、幅は０.５ｍｍ程度に形成され得る。このウィック８２及びウィックコア８３は、例えばＰＴＦＥ（ポリテトラフルオロエチレン）などの多孔質体からなっている。この多孔質体の細孔は、平均半径が５μｍ程度で、空孔率が３５％程度に形成され得る。このようなウィック８２は、例えば粉末状のＰＴＦＥを成形により形成することによって、溝８４も一体的に形成される。
【００５７】
図７Ａ〜７Ｂで、８６は蒸気集合部、８７は蒸気管、８８は液管、８９は液溜めタンク、９０は接続管、８５は液分配部である。基本的な動作は、前述の図２Ａに示されるヒートパイプ７と同じであるが、この装置で、液分配部８５で各ウィックコア８３の毛細管現象によって液体が吸引され、ウィックコア８３からウィック８２の毛細管に進み、ケース８１からの熱によって蒸発する。蒸発した蒸気は溝８４による空間内を通って、蒸気集合部８６に進む。なお、溝８４は、図７Ａに示されるように、液分配部８５との間を、ウィック８２によって封鎖され、一方、蒸気集合部８６には貫通している。そのため、液体の蒸発によって溝８４内の圧力が高くなると、その蒸気は蒸気集合部８６の方に進む。そして、蒸気管８７を通って放熱部７２で冷却されることによって、蒸気が液化し液管８８を通って、液溜めタンク８９に液が溜まる。液溜めタンク８９に溜った液体は、重力によって接続管９０を介して液分配部８５に戻る。放熱部７２での蒸気が液化することによって、ケース８１内の圧力は下がり、吸熱部（蒸発部）７１でさらに蒸発をし、上述の過程が繰り返される。吸熱部（蒸発部）７１がこのような構造に形成されることによって、広い面積に亘って冷却することができる。
【００５８】
このようなループ型のヒートパイプ７が用いられることによって、例えば図７Ｄに示されるように、電磁石３の前面（蒸着マスク１に向く面）にそのまま設けることができる。図７Ｄに示される例では、図１に示される蒸着装置のタッチプレート４に代えてヒートパイプ７の吸熱部７１が設けられているが、従来のタッチプレート４はそのままにして、そのタッチプレート４と電磁石３との間に挿入されてもよい。このような構造であれば、電磁石３の蒸着マスク１に対向する面が冷却されることになるので、蒸着マスク１の温度上昇を抑制するのに最も適している。なお、図７Ｄにおいて、図１と同じ部分には同じ符号を付して、その説明は、次の図１の説明で代用される。また、９１は放熱板である。すなわち、放熱部７２は、空冷などによって冷却され得る。
【００５９】
また、このループ型のヒートパイプ７は、吸熱部７１は水平に配置されているので、内部にウィック８２が必要になる。しかし、液溜めタンク８９から液分配部８５に至る接続管９０は、鉛直配置になるので、ウィックは無くても自重で落下する。その結果、蒸発部（吸熱部７１）と放熱部７２との間において、液体と蒸気の循環によって、熱移動が行われる。そして、被蒸着基板２及び蒸着マスク１の温度上昇が効率的に抑制される。
【００６０】
（蒸着装置の概略構成）
本発明の一実施形態の蒸着装置は、図１に示され、前述のように、真空チャンバー８の内部に蒸着マスク１と被蒸着基板２とが近接して配置されるように、マスクホルダー１５と基板ホルダー２９とが上下に移動し得るように設けられている。この基板ホルダー２９は、複数のフック状のアームで被蒸着基板２の周縁部を保持し、上下に昇降できるように、図示しない駆動装置に接続されている。被蒸着基板２などの交換の場合には、ロボットアームにより真空チャンバー８内に搬入された被蒸着基板２をフック状のアームで受け取り、被蒸着基板２が蒸着マスク１に近接するまで基板ホルダー２９が下降する。そして位置合せを行えるように図示しない撮像装置も設けられている。タッチプレート４は支持フレーム４１により支持され、タッチプレート４を被蒸着基板２と接するまで降下させる駆動装置に支持フレーム４１を介して接続されている。タッチプレート４が降下されることにより、被蒸着基板２が平坦にされる。
【００６１】
蒸着装置は、本実施形態の蒸着マスク１と被蒸着基板２との位置合せの際に、蒸着マスク１と被蒸着基板２のそれぞれに形成されたアライメントマークを撮像しながら、被蒸着基板２を蒸着マスク１に対して相対的に移動させる微動装置も備えている。位置合せは、電磁石３により蒸着マスク１を不必要に吸着させないように、電磁石３への通電を止めた状態で行われる。その後にタッチプレート４や、図示しない同様のホルダーによって保持された電磁石３が降ろされて電流が流されることで、蒸着マスク１が被蒸着基板２に向かって吸引される。
【００６２】
本実施形態では、この電磁石３のヨーク３３にヒートパイプ７が密着して設けられている。前述のように、ヒートパイプ７の吸熱部７１が電磁石３に、コイル３２の内径の断面積、好ましくはそれより大きい面積で密着しており、他端の放熱部７２は真空チャンバー８の外部に導出されている。この放熱部７２は、例えば排熱槽９５の中に入れられて、空冷、水冷などの冷却が行えるようになっている。このように、ヒートパイプ７は、一端部の吸熱部７１は真空チャンバー８の内部に存在し、他端部の放熱部７２は真空チャンバー８の外部に存在する。前述のように、被蒸着基板２や蒸着マスク１の取り換えの際には、この電磁石３などは上方に持ち上げられ、交換後に再度下げられる必要がある。そのため、このヒートパイプ７を直接真空チャンバー８の壁面に固着することができない。このような場合には、図８に示されるように、ベローズ９６を介して真空チャンバー８に固定されることが好ましい。被蒸着基板２などの交換の際に電磁石３などが持ち上げられる距離は、１００ｍｍ程度以下であり、その程度に伸縮できるベローズ９６であればよい。
【００６３】
しかし、電磁石３やタッチプレート４は固定構造とし、蒸着マスク１や被蒸着基板２を下方に下げて被蒸着基板２などの取り換えを行い、その後に、持ち上げて所定の位置に配置することもできる。そのような構造にすれば、ベローズ９６を用いることなく、ヒートパイプ７を直接真空チャンバー８に接着して封止し得る。また、前述のベローズ９６が用いられる場合、ベローズ９６が破損した場合、真空チャンバー８の内部が大気に晒されて内壁が汚れる。真空チャンバー８の内壁が汚れると、ガス源となるため、洗浄が必要となるので、二重構造にすることが好ましい。例えば図１に示される構造で、ベローズ９６の部分を含むように排熱槽９５の外壁と真空チャンバー８の外壁との間で図示しない被覆カバーによって被覆する構造にすることが好ましい。この場合、ヒートパイプ７と排熱槽９５との間、及び被覆カバーの排熱槽９５及び真空チャンバー８との間の接続部は気密に封止され、被覆カバーは可撓性又は蛇腹部を有するものが好ましい。電磁石３の移動によって、排熱槽９５も移動し得るからである。真空チャンバー８の内部は真空にされるため、図示しない排気装置が接続される。
【００６４】
電磁石３は、前述のように、コア３１を有するものや、ヨーク３３を有するものや、被覆物３４を有するものなど、種々のものが使用され得る。また、コア３１の形状は四角形でも円形でもよい。例えば蒸着マスク１の大きさが、１.５ｍ×１.８ｍ程度の大きさの場合、図１に示される単位電磁石の断面が５ｃｍ角程度の大きさのコア３１を有する電磁石３が、図１に示されるように、蒸着マスク１の大きさに合せて複数個（個々の電磁石を単位電磁石という）並べて配置され得る（図１では、横方向が縮尺され、単位電磁石の数が少なく描かれている）。図１に示される例ではコイル３２の接続は図示されていないが、各コア３１に巻回されるコイル３２が直列に接続されている。しかし、それぞれの単位電磁石のコイル３２が並列に接続されてもよい。また、数個単位が直列に接続されてもよい。単位電磁石の一部に独立して電流が印加されてもよい。この電磁石３の冷却は、前述の各実施態様の方法によって冷却される。
【００６５】
蒸着マスク１は、図９に示されるように、樹脂フィルム１１と金属支持層１２と、その周囲に形成されるフレーム（枠体）１４を備えており、蒸着マスク１は、図１に示されるように、フレーム１４が、マスクホルダー１５上に載置される。金属支持層１２に磁性材料が用いられる。その結果、電磁石３のコア３１との間で吸引力が働き、被蒸着基板２を挟んで吸着される。なお、金属支持層１２は強磁性体で形成されてもよい。この場合、金属支持層１２は、電磁石３の強い磁界によって、着磁（外部磁界が除去されても強い磁化が残留する状態）される。このような強磁性体が用いられていると、電磁石３と蒸着マスク１とを分離する際に、電磁石３に逆方向の電流を流した方が分離しやすい。このような着磁のための強い磁界を生成する場合でも、本実施形態によって、電磁石３の加熱が抑制される。
【００６６】
金属支持層１２としては、例えばＦｅ、Ｃｏ、Ｎｉ、Ｍｎ又はこれらの合金が用いられ得る。その中でも、被蒸着基板２との線膨張率の差が小さいこと、熱による膨張が殆どないことから、インバー（ＦｅとＮｉの合金）が特に好ましい。金属支持層１２の厚さは、５μｍ〜３０μｍ程度に形成される。
【００６７】
なお、図９では、樹脂フィルム１１の開口１１ａと金属支持層１２の開口１２ａが被蒸着基板２（図１参照）に向かって先細りするようなテーパ形状になっている。その理由は、蒸着材料５１（図１参照）が蒸着される場合に、飛散する蒸着材料５１のシャドウにならないようにするためである。なお、蒸着源５は、点状、線状、面状など、種々の蒸着源５が用いられ得る。例えばるつぼが線状に並べて形成されたライン型の蒸着源５（図１の紙面と垂直方向に延びている）が、例えば紙面の左端から右端まで走査されることにより、被蒸着基板２の全面に蒸着が行われる。従って、蒸着材料５１は種々の方向から飛散することになり、斜めから来た蒸着材料５１でも遮断されることなく被蒸着基板２に届くようにするため、前述のテーパが形成されている。
【００６８】
（蒸着方法）
次に、本発明の第二の実施形態による蒸着方法が説明される。本発明の第二の実施形態の蒸着方法は、前述の図１に示されるように、電磁石３と、被蒸着基板２と、磁性体を有する蒸着マスク１とを重ね合せ、かつ、電磁石３への通電によって被蒸着基板２に蒸着マスク１を吸着させる工程、及び蒸着マスク１と離間して配置される蒸着源５からの蒸着材料５１の飛散によって被蒸着基板２に蒸着材料５１を堆積する工程、を含み、電磁石３のコイル３２の内周の断面積よりも広い面積で電磁石３に密着させたヒートパイプ７によって電磁石３を冷却しながら蒸着材料５１の堆積を行う。
【００６９】
前述のように、蒸着マスク１の上に被蒸着基板２が重ねられる。この被蒸着基板２と蒸着マスク１との位置合せが次のように行われる。被蒸着基板２と蒸着マスク１のそれぞれに形成された位置合せ用のアライメントマークを撮像装置で観察しながら、被蒸着基板２を蒸着マスク１に対して相対的に移動させることにより行われる。この際、前述のように、電磁石３を動作させない状態であれば、被蒸着基板２と蒸着マスク１とを接近させて行える。この方法により、蒸着マスク１の開口１１ａと被蒸着基板２の蒸着場所（例えば後述される有機ＥＬ表示装置の場合、支持基板２１の第一電極２２のパターン）とを一致させることができる。位置合せされた後に、電磁石３を動作させる。その結果、電磁石３と蒸着マスク１との間で強い吸引力が働き、被蒸着基板２と蒸着マスク１とがしっかりと接近する。この際、電磁石３のコイル３２に電流が流されることによって、発熱するが、前述のように、この電磁石３にヒートパイプ７が接続されているので、発生した熱が効率よく放熱され、蒸着マスク１への熱伝導は殆ど無く、蒸着マスク１の温度上昇は抑制される。
【００７０】
その後、図１に示されるように、蒸着マスク１と離間して配置される蒸着源５からの蒸着材料５１の飛散（気化又は昇華）によって被蒸着基板２に蒸着材料５１が堆積される。具体的には、前述のように、るつぼなどか線状に並べて形成されたラインソースが用いられるが、これには限定されない。例えば有機ＥＬ表示装置を作製する場合、開口１１ａが一部の画素に形成された蒸着マスク１が複数種類用意され、その蒸着マスク１が取り換えられて複数回の蒸着作業で有機層が形成される。
【００７１】
この蒸着方法によれば、電磁石３がヒートパイプ７によって冷却されながら蒸着が行われる。その結果、蒸着マスク１と被蒸着基板２との相対的な位置ずれが抑制され、精度の優れた蒸着が行われる。なお、電磁石３への電流の投入時及び電流の切断時には、電流の立上り及び立下りが緩やかになるようにすることが電磁誘導の発生を抑制する観点から好ましい。例えば電磁石３と並列にキャパシタが接続されたり、コイル３２の途中に端子を設け、コイル３２において通電される部分を徐々に増やしたり、コイル３２に逆巻部分を形成して、電流の投入又は切断時には発生磁界を相殺しながら、電流の投入後又は切断後に徐々に逆巻きのコイルに流す電流をオフにすることが好ましい。
【００７２】
（有機ＥＬ表示装置の製造方法）
次に、上記実施形態の蒸着方法を用いて有機ＥＬ表示装置を製造する方法が説明される。蒸着方法以外の製造方法は、周知の方法で行えるため、主として、本発明の蒸着方法により有機層を積層する方法が、図１０〜１１を参照しながら説明される。
【００７３】
本発明の第三の実施形態の有機ＥＬ表示装置の製造方法は、支持基板２１の上に図示しないＴＦＴ、平坦化膜及び第一電極（例えば陽極）２２を形成し、その一面に蒸着マスク１を位置合せして重ね合せ、蒸着材料５１を蒸着するに当たり、前述の蒸着方法を用いて有機層の積層膜２５を形成することを含んでいる。積層膜２５上に第二電極２６（図１１参照；陰極）が形成される。
【００７４】
例えばガラス板などの支持基板２１は、完全には図示されていないが、各画素のＲＧＢサブ画素ごとにＴＦＴなどの駆動素子が形成され、その駆動素子に接続された第一電極２２が、平坦化膜上に、ＡｇあるいはＡＰＣなどの金属膜と、ＩＴＯ膜との組み合せにより形成されている。サブ画素間には、図１０〜１１に示されるように、サブ画素間を区分するＳｉＯ2又はアクリル樹脂、ポリイミド樹脂などからなる絶縁バンク２３が形成されている。このような支持基板２１の絶縁バンク２３上に、前述の蒸着マスク１が位置合せして固定される。この固定は、前述の図１に示されるように、例えば支持基板２１（被蒸着基板２）の蒸着面と反対面の上にタッチプレート４を介して設けられる電磁石３を用いて、吸着することにより行われる。前述のように、蒸着マスク１の金属支持層１２（図９参照）に磁性体が用いられているので、電磁石３により磁界が与えられると、蒸着マスク１の金属支持層１２が磁化してコア３１との間で吸引力が生成する。電磁石３がコア３１を有しない場合でも、コイル３２に流れる電流により発生する磁界によって吸着される。この際、前述のように、電流が流れることによって発生する熱は、ヒートパイプ７によって、速やかに放熱部７２に伝導して放散される。その結果、蒸着マスク１と支持基板２１との間に熱膨張率の差があっても、相互の位置ずれは大幅に抑制される。そして、高精細な有機ＥＬ表示装置が得られる。
【００７５】
この状態で、図１０に示されるように、蒸着装置内で蒸着源（るつぼ）５から蒸着材料５１が飛散され、支持基板２１において蒸着マスク１の開口１１ａに露出する部分のみに蒸着材料５１が蒸着され、所望のサブ画素の第一電極２２上に有機層の積層膜２５が形成される。この蒸着工程は、順次蒸着マスク１が交換され、各サブ画素に対して行われてもよい。複数のサブ画素に同時に同じ材料が蒸着される蒸着マスク１が用いられてもよい。蒸着マスク１が交換される場合には、図１０には図示されていない電磁石３（図１参照）により蒸着マスク１の金属支持層１２（図９参照）への磁界を除去するように図示しない電源回路がオフにされる。この際にも、ヒートパイプ７は働いており、電磁石３に残留する熱は全て放熱部７２に伝導される。
【００７６】
図１０〜１１では、有機層の積層膜２５が単純に１層で示されているが、有機層の積層膜２５は、異なる材料からなる複数層の積層膜２５で形成されてもよい。例えば陽極２２に接する層として、正孔の注入性を向上させるイオン化エネルギーの整合性の良い材料からなる正孔注入層が設けられる場合がある。この正孔注入層上に、正孔の安定な輸送を向上させると共に、発光層への電子の閉じ込め（エネルギー障壁）が可能な正孔輸送層が、例えばアミン系材料により形成される。さらに、その上に発光波長に応じて選択される発光層が、例えば赤色、緑色に対してはＡｌｑ3に赤色又は緑色の有機物蛍光材料がドーピングされて形成される。また、青色系の材料としては、ＤＳＡ系の有機材料が用いられる。発光層の上には、さらに電子の注入性を向上させると共に、電子を安定に輸送する電子輸送層が、Ａｌｑ3などにより形成される。これらの各層がそれぞれ数十ｎｍ程度ずつ積層されることにより有機層の積層膜２５が形成されている。なお、この有機層と金属電極との間にＬｉＦやＬｉｑなどの電子の注入性を向上させる電子注入層が設けられることもある。本実施形態では、これらも含めて有機層の積層膜２５に含めている。
【００７７】
有機層の積層膜２５のうち、発光層は、ＲＧＢの各色に応じた材料の有機層が堆積される。また、正孔輸送層、電子輸送層などは、発光性能を重視すれば、発光層に適した材料で別々に堆積されることが好ましい。しかし、材料コストの面を勘案して、ＲＧＢの２色又は３色に共通して同じ材料で積層される場合もある。２色以上のサブ画素で共通する材料が積層される場合には、共通するサブ画素に開口１１ａが形成された蒸着マスク１が形成される。個々のサブ画素で蒸着層が異なる場合には、例えばＲのサブ画素で１つの蒸着マスク１を用いて、各有機層を連続して蒸着することができる。また、ＲＧＢで共通の有機層が堆積される場合には、その共通層の下側まで、各サブ画素の有機層の蒸着がなされ、共通の有機層のところで、ＲＧＢに開口１１ａが形成された蒸着マスク１を用いて一度に全画素の有機層の蒸着がなされる。なお、大量生産する場合には、蒸着装置の真空チャンバー８が何台も並べられ、それぞれに異なる蒸着マスク１が装着されていて、支持基板２１（被蒸着基板２）が各蒸着装置を移動して連続的に蒸着が行われてもよい。
【００７８】
ＬｉＦ層などの電子注入層などを含む全ての有機層の積層膜２５の形成が終了したら、前述のように、電磁石３をオフにし蒸着マスク１から電磁石３が分離される。その後、第二電極（例えば陰極）２６が全面に形成される。図１１に示される例は、トップエミッション型で、図中支持基板２１と反対面から光を出す方式になっているので、第二電極２６は透光性の材料、例えば、薄膜のＭｇ-Ａｇ共晶膜により形成される。その他にＡｌなどが用いられ得る。なお、支持基板２１を介して光が放射されるボトムエミッション型の場合には、第一電極２２にＩＴＯ、Ｉｎ3Ｏ4などが用いられ、第二電極２６としては、仕事関数の小さい金属、例えばＭｇ、Ｋ、Ｌｉ、Ａｌなどが用いられ得る。この第二電極２６の表面には、例えばＳｉ3Ｎ4などからなる保護膜２７が形成される。なお、この全体は、図示しないガラス、耐湿性の樹脂フィルムなどからなるシール層により封止され、有機層の積層膜２５が水分を吸収しないように構成される。また、有機層はできるだけ共通化し、その表面の上にカラーフィルタを設ける構造にすることもできる。
【００７９】
（まとめ）
（１）本発明の第一の実施形態に係る蒸着装置は、真空チャンバーと、前記真空チャンバーの内部に配置される蒸着マスクを保持するマスクホルダーと、前記マスクホルダーに保持される蒸着マスクと接するように被蒸着基板を保持する基板ホルダーと、前記基板ホルダーに保持される被蒸着基板の前記蒸着マスクと反対面の上方に配置される電磁石と、前記蒸着マスクと対向させて設けられ、蒸着材料を気化又は昇華させる蒸着源と、少なくとも第一端部である吸熱部が前記電磁石に接触して設けられ、前記第一端部と反対の第二端部である放熱部が前記真空チャンバーの外部に導出されるヒートパイプと、を有し、前記ヒートパイプと前記電磁石との接触部が、前記電磁石のコイルの内周の断面積よりも大きい面積で密着して接合されている。
【００８０】
本発明の一実施形態の蒸着装置によれば、ヒートパイプの吸熱部が蒸着装置の電磁石と、電磁石のコイルの内周の断面積以上の面積で接触するように設けられている。その結果、電磁石で発生する熱が速やかに放熱され得る。すなわち、電磁石の蒸着マスクと対向する面と反対面にヒートパイプの吸熱部が接触されても、ヒートパイプの吸熱部の広い範囲で電磁石と接触することによって、電磁石全体の放熱が達成される。その結果、電磁石からの熱が被蒸着基板や蒸着マスクに伝達して被蒸着基板や蒸着マスクの温度を上昇させることが抑制される。そして、被蒸着基板と蒸着マスクの温度上昇による位置ずれが抑制されるので、被蒸着基板の正確な場所に正確なパターンで蒸着材料が蒸着される。よって精細な表示パネルが得られる。
【００８１】
（２）前記電磁石による前記蒸着マスクの温度上昇が、１０℃以下になるべく前記電磁石と前記ヒートパイプとの接触がなされていることが好ましい。すなわち、ヒートパイプの吸熱部と電磁石との接触面積が大きいほど電磁石の温度上昇が抑制され、被蒸着基板や蒸着マスクの温度上昇が抑制される。
【００８２】
（３）前記電磁石が柱状のコアを有し、前記コアの一端部に、ヨークが取り付けられることによって、前記コアを含めた断面形状がＥ型のヨークに形成され、前記Ｅ型ヨークに前記ヒートパイプが密着していることが好ましい。ヨークが設けられることによって、蒸着マスク近傍での磁界が強くなると共に、ヒートパイプの吸熱部の電磁石（ヨーク）に対する接触面積を大きくし得る。
【００８３】
（４）前記電磁石が、柱状のコアと前記コアの周囲に電線を巻回して形成されたコイルとを一体化する被覆物とを有し、前記ヒートパイプの前記吸熱部が前記被覆物と密着するべく形成されていることが好ましい。被覆物によって被覆されると輻射による放熱が制限されるが、元々真空雰囲気に配置されるので、輻射による放熱の効果は少ない。一方、被覆物によって被覆されることによって、伝導による熱移動が得られ、その被覆物にヒートパイプの吸熱部が埋め込まれることによって、非常に効率的に熱放出の効果が得られやすい。この場合、被覆物は、熱伝導率の大きい材料であることが好ましい。また、このような被覆物で被覆されることによって、最も発熱しやすい電線（コイル）の周囲と充分に接触するため、熱伝導による放熱効果が特に大きい。
【００８４】
（５）前記電磁石が柱状のコアを有し、前記ヒートパイプの前記吸熱部が前記コアの長さの１／２以上の深さまで前記コアの内部に埋め込まれていることが好ましい。電磁石のうち、特に被蒸着基板に向く面（前面）の温度上昇が抑制されることが一番好ましい。しかし、スペースの関係で、電磁石の前面とは反対面である背面に接触させざるを得ない場合が多い。その場合でも、コアの半分以上の深さまでヒートパイプが埋め込まれることによって、電磁石の前面の温度を下げることができる。この埋め込み深さは、深いほど好ましく、２／３以上、又はコアの前面に露出する程度であることがさらに好ましい。
【００８５】
（６）前記ヒートパイプが扁平状に形成され、かつ、前記ヒートパイプをリング状に丸めて筒状体に形成され、前記筒状体の吸熱部が前記コアの内部に埋め込まれていることが好ましい。電磁石は、空心よりもコアを有する方が強い磁界が得られる。従って、コアに孔を開けることは磁界の面から好ましくない。しかし、軸方向に沿った孔であれば、浅くても深くてもあまり磁界への影響は変らない。従って、小さい断面積で深い穴にヒートパイプの吸熱部が挿入されることは、磁界を余り弱めることなく、熱放出を大きくし得るので好ましい。
【００８６】
（７）前記電磁石が柱状のコアを有し、前記電磁石の少なくとも前記ヒートパイプとの接触部の近傍に、前記コアよりも熱伝導率の大きい被膜が形成されていることが好ましい。前述のように、電磁石の前面にヒートパイプを設けることはスペースの関係で難しい面があり、背面に接触される場合が多い。しかし、コアを形成する鉄の熱伝導はそれ程優れていない。そのため、コアの熱伝導を向上させるために、銅メッキなどの熱伝導に優れた被膜の形成が好ましい。この被膜の形成は、コア（ヨークを有する場合はヨークも含めて）の凹部を含む全面に形成されることが好ましい。少なくともヒートパイプの吸熱部との接触部に被膜が形成されることによって、コアからのヒートパイプへの熱伝導が向上すると考えられる。
【００８７】
（８）前記ヒートパイプの前記吸熱部が平面型に形成され、前記電磁石の前記蒸着マスクと対向する面に前記ヒートパイプの前記吸熱部が密着して配置されることが好ましい。この構造によれば、ヒートパイプを特殊な構造にしているため、電磁石の前面にヒートパイプの吸熱部だけが接触され得る。その結果、電磁石の蒸着マスクと対向する面を冷却することができるので、大変好ましい。
【００８８】
（９）前記ヒートパイプが、前記真空チャンバーとベローズを介して接続されている。そうすることによって、電磁石を基板ホルダーなどと共に昇降させ得る。
【００８９】
（１０）前記真空チャンバーの外周に前記真空チャンバーを覆う第二のチャンバーが形成され、前記真空チャンバーと前記第二のチャンバーとの間の空間は、前記真空チャンバーの内部の真空度よりも低い真空度にされていることが好ましい。ベローズが破損しても、真空チャンバーの内部が大気で汚染されるのを抑制し得る。
【００９０】
（１１）前記ヒートパイプの外周に、前記ヒートパイプの破損による内部の液体の漏出を防止する保護パイプが形成されることが好ましい。ヒートパイプが破損しても、真空チャンバーの内部をヒートパイプに封入された液体で汚染するのを抑制できる。
【００９１】
（１２）また、本発明の第二の実施形態の蒸着方法は、電磁石と、被蒸着基板と、磁性体を有する蒸着マスクとを重ね合せ、かつ、前記電磁石への通電によって前記被蒸着基板に前記蒸着マスクを吸着させる工程、及び前記蒸着マスクと離間して配置される蒸着源からの蒸着材料の飛散によって前記被蒸着基板に前記蒸着材料を堆積する工程、を含み、前記電磁石のコイルの内周の断面積よりも広い面積で前記電磁石に密着させたヒートパイプによって前記電磁石を冷却しながら前記蒸着材料の堆積を行う。
【００９２】
本発明の第二の実施形態の蒸着方法によれば、ヒートパイプを、電磁石のコイルの内周の断面積よりも広い面積で電磁石に密着させているので、蒸着中に電磁石で蒸着マスクを吸引していても、電磁石の温度上昇が抑制される。ひいては、被蒸着基板及び蒸着マスクの温度上昇も抑制される。その結果、熱膨張による被蒸着基板と蒸着マスクとの位置ずれが抑制され、精度の良い蒸着を行い得る。
【００９３】
（１３）前記電磁石による前記蒸着マスクの温度上昇を、１０℃以下にすべく前記電磁石の冷却をすることが好ましい。電磁石の温度上昇を抑制し、その結果、蒸着マスクの温度上昇が１０℃以下に抑制されることによって、画素に対する蒸着材料の積層膜のずれが許容範囲に抑制され、高精度蒸着膜が得られる。
【００９４】
（１４）さらに、本発明の第三の実施形態の有機ＥＬ表示装置の製造方法は、支持基板上にＴＦＴ及び第一電極を少なくとも形成し、前記支持基板上に前記（１２）〜（１３）のいずれかの蒸着方法を用いて有機材料を蒸着することによって有機層の積層膜を形成し、前記積層膜上に第二電極を形成することを含んでいる。
【００９５】
本発明の第三の実施形態の有機ＥＬ表示装置の製造方法によれば、有機ＥＬ表示装置が製造される際に、電磁石からの熱の放射が抑制されるので、被蒸着基板と蒸着マスクとの位置ずれが抑制され、高繊細なパターンの表示パネルが得られる。
【符号の説明】
【００９６】
１      蒸着マスク
２      被蒸着基板
３      電磁石
４      タッチプレート
５      蒸着源
７      ヒートパイプ
８      真空チャンバー
１２    金属支持層
１５    マスクホルダー
２１    支持基板
２２    第一電極
２３    絶縁バンク
２５    積層膜
２６    第二電極
２９    基板ホルダー
３１    コア（磁心）
３１ｂ  被膜
３２    コイル
３３    ヨーク
３４    被覆物
４１    支持フレーム
５１    蒸着材料
７１    吸熱部
７２    放熱部
７３    空間部
７８    保護パイプ
８０    ウィック構造体
８１    ケース（容器）
８２    ウィック
８３    ウィックコア
８４    溝
９６    ベローズ
【図１】
2019035137.tif 000003
【図２Ａ】
2019035137.tif 000004
【図２Ｂ】
2019035137.tif 000005
【図３】
2019035137.tif 000006
【図４】
2019035137.tif 000007
【図５Ａ】
2019035137.tif 000008
【図５Ｂ】
2019035137.tif 000009
【図６Ａ】
2019035137.tif 000010
【図６Ｂ】
2019035137.tif 000011
【図６Ｃ】
2019035137.tif 000012
【図６Ｄ】
2019035137.tif 000013
【図７Ａ】
2019035137.tif 000014
【図７Ｂ】
2019035137.tif 000015
【図７Ｃ】
2019035137.tif 000016
【図７Ｄ】
2019035137.tif 000017
【図８】
2019035137.tif 000018
【図９】
2019035137.tif 000019
【図１０】
2019035137.tif 000020
【図１１】
2019035137.tif 000021